(57)【特許請求の範囲】
【請求項１】
扉の自由側端部に取り付けられる第１枠箱にそのフロント板に対し先端が出没できるようにして係止杆を設け、一方、扉の自由側端部が対向する扉枠の対向面に第２枠箱を埋設し、この第２枠箱内に、少なくともガードアームが振り出される側の内側壁と摺接して上下方向に移動可能に案内された矩形の板状体のスライダを装着すると共に、このスライダの表面に植設された枢軸に、上記係止杆の先端部が選択的に嵌め外しされる係合孔を先端に形成したガードアームの基端を、扉枠の対向面に直角な水平軸線の回りに揺動可能に枢支し、他方、第２枠箱内にスライダを外力が作用しない常態位置に向け直線的に付勢させる第１戻しばねを弾装すると共に、スライダに対しガードアームを外力が作用しない常態の角度位置に向け揺動付勢させるため、ねじりばねで成る第２戻しばねをガードアームの枢軸に巻装し、また、ガードアームと第２枠箱との間にガードアームの常態の角度位置を規定するストッパ手段を設けたことを特徴とするガードアーム装置。
【発明の詳細な説明】
【０００１】
【産業上の利用分野】
この発明は、扉と扉枠との間に設置されるガードアーム装置（用心錠）の改良に関する。
【０００２】
【従来の技術】
ガードアームによって扉の開放角度を半開き状態に制限して、来訪者の確認や応対を安全に行えるようにしたガードアーム装置は、従来より種々の形式のものが開発されて来た。
【０００３】
その１つの形式としては、例えば実公平３−２３５００号公報に示されたものを挙げることができる。そのガードアーム装置（用心錠）は、扉枠の正面に埋設され、かつ前面には収納凹部を、上部には摺動孔を、下部には嵌合孔を形成した取付板と、取付板の嵌合孔に出没可能とした係止部材を内装し、かつ扉の正面に埋設した錠ケースと、上端部を前記取付板の摺動孔内に挿通した移動ピンにより摺動かつ回動自在に枢支し、かつ下端部には閉扉時に前記係止部材が出没可能とした係合孔を形成した規制部材（ガードアーム）とを備え、前記規制部材は閉扉時には取付板の収納凹部に収納されると共に、係止部材を規制部材の係合孔に係入するようにした用心錠であって、盤状に形成した取付板の正面側には規制部材が収容できるようにした段落し状の収納凹部を形成すると共に、該収納凹部の片側に規制部材の一端側が当接する規制壁面が一体に形成してあり、さらに取付板の空間には規制部材の枢支部である移動ピンとの間においてスライダを介して復帰バネを設け、該復帰バネによりスライダを介し規制部材を常時復帰姿勢に戻るように付勢して成るものである。
【０００４】
【発明が解決しようとする課題】
しかしながら、前記の従来装置によれば、閉扉時は係止部材（係止杆）の中心軸線と移動ピンの中心軸線とは互に平行をなしているが、開扉角度が大きくなるにつれ両中心軸線が投影平面において交差角度を０から次第に大きくして行く。
【０００５】
このことは、係止部材から規制部材（ガードアーム）を通じ移動ピンにこじり作用を呈するところとし、移動ピンとそれを摺動案内する規制部材における摺動孔の縁部との間に大きな摩擦力を生じさせ、あるいは、移動ピンと摺動孔の縁部との摺接部に偏摩耗を生じさせる。
【０００６】
従って、同装置によれば、ガードアーム作動時の扉の開閉において円滑さを欠き、また、長期の使用において、移動ピンが破損したり、該ピンと摺動孔との間に不要なガタを生じるところとする。
【０００７】
この発明のガードアーム装置は、取付板に形成した移動ピン用の摺動孔を廃することにより、前述の問題点を悉く解決することを目的とする。
【０００８】
すなわち、この発明では、ガードアーム作動時の扉の開閉を円滑にすると共に、枢軸（移動ピン）の摩擦による偏摩耗を排することにより耐久性の向上を計ることを目的とする。
【０００９】
【課題を解決するための手段】
上記の目的を達成するため、この発明のガードアーム装置は、扉の自由側端部に取り付けられる第１枠箱にそのフロント板に対し先端が出没できるようにして係止杆を設け、一方、扉の自由側端部が対向する扉枠の対向面に第２枠箱を埋設し、この第２枠箱内に、少なくともガードアームが振り出される側の内側壁と摺接して上下方向に移動可能に案内された矩形の板状体のスライダを装着すると共に、このスライダの表面に植設された枢軸に、上記係止杆の先端部が選択的に嵌め外しされる係合孔を先端に形成したガードアームの基端を、扉枠の対向面に直角な水平軸線の回りに揺動可能に枢支し、他方、第２枠箱内にスライダを外力が作用しない常態位置に向け直線的に付勢させる第１戻しばねを弾装すると共に、スライダに対しガードアームを外力が作用しない常態の角度位置に向け揺動付勢させるため、ねじりばねで成る第２戻しばねをガードアームの枢軸に巻装し、また、ガードアームと第２枠箱との間にガードアームの常態の角度位置を規定するストッパ手段を設けたことを特徴とする。
【００１０】
【作用】
図１〜図５を参照してこの発明のガードアーム装置の作用について説明する。ガードアーム作動状態において、閉扉時はガードアーム４は図１で実線の位置にある。
【００１１】
開扉して図１の矢印Ａのように係止杆３０が移動すると、係止杆３０の先端部が係合されたガードアーム４は、その先端部が強制的に引っ張られるので、スライダ３は第１戻しばね６に抗して図１の矢印Ｂのように直線的に摺動案内され、同時にガードアーム４はスライダ３に対し第２戻しばね７に抗して水平軸線の回りに揺動する（図３〜図５参照）。
【００１２】
逆に、扉１０を閉鎖すると、スライダ３及びガードアーム４は、第１戻しばね６及び第２戻しばね７の付勢力によりそれぞれ常態位置（扉１０の閉鎖状態において占める適正位置）に復帰する。その際のガードアーム４の角度位置はストッパ手段５によって規制される。
【００１３】
【実施例】
以下図面に示す実施例に基いてこの発明について説明する。
図１〜図５において、符号１０は扉、２０は扉１０の自由側端部に埋設又は面付けにより取り付けられる錠箱その他の箱形の第１枠箱、３０は第１枠箱２０内にそのフロント板に対し先端が出没できるようにして設けた係止杆、４０はガードアーム作動時に後記のガードアーム４の係合孔４２に係合させるため係止杆３０の先端部に設けたくびれ部、５０は扉枠をそれぞれ示す。
【００１４】
前記の係止杆３０は本締りのデッドボルトを兼用してもよいし、ガードアーム作動用として専用に設けてもよい。係止杆３０は通常室内側のサムターン（図示しない）によりカム等の作用片を介して出没操作される。
【００１５】
図示例の係止杆３０はデッドボルトを兼用している。この係止杆３０は第１枠箱２０のフロント板から、２段階に亘って突出できるようにしてあり、第１段階ではそのくびれ部４０をもってガードアーム４の係合孔４２に係合し、第２段階ではその先端が後に詳述する第２枠箱１に設けた係止孔１５に係入する。なお、符号１２は第２枠箱１の後面部に溶接等により固設したトロヨケである。
【００１６】
扉１０の自由側端部が対向する扉枠５０の対向面には縦長の箱形をなす第２枠箱１を掘込みにより埋設する。第２枠箱１は、本体部分に対し止めねじ９１及び支柱９２で固定した横断面Ｌ字状の蓋板１１並びに前記のトロヨケ１２を含む。符号９３は第２枠箱本体１における底部を扉枠５０の掘込み穴に固定する取付けねじを示す。
【００１７】
前記の蓋板１１の正面部には、閉扉時に第１枠箱２０から係止杆３０を突出させた時それが貫通する開口１３を有し、また、蓋板１１の側方部には、ガードアーム作動時に扉１０の開閉に伴って第２枠箱１の外方又は内方に向け揺動変位するガードアーム４及び水平に移動する係止杆３０を逃がすための抜け窓１４を有する。前記開口１３及び抜け窓１４は相互に連設させてある。
【００１８】
第２枠箱１の空間部には、適当な案内手段２により上下方向（垂直方向）に摺動案内される例えば横断面Ｌ字状のスライダ３を設ける。
【００１９】
実施例における案内手段２は、第２枠箱本体１の底部に突設された案内ピンとスライダ３に形成された長孔とを互に嵌挿させたもの、第２枠箱本体１の内側壁とスライダ３の側辺とを摺接させたもの、並びに、第２枠箱本体１の側部からの折曲げ片とスライダ３の側辺部上面とを摺接させたものが例示されている。
【００２０】
前記のスライダ３には、扉枠５０の対向面（正面）に直角な枢軸４１の水平軸線の回りに揺動可能にしたガードアーム４を枢支する。
【００２１】
図示例では、枢軸４１はスライダ３に固設してあってガードアーム４は枢軸４１の回りに回動可能（揺動可能）に取り付けてあるが、逆にして、ガードアーム（４）に固設した枢軸をスライダ（３）に対して回動可能に取り付けてもガードアーム（４）を揺動可能にすることができる。
【００２２】
そして、前記のように基端部において枢支されたガードアーム４の先端部には上記係止杆３０の先端部が選択的に嵌め外しされる係合孔４２を設ける。
【００２３】
ガードアーム作動時扉１０が開放されると、係止杆３０はそのくびれ部４０の存在によりガードアーム４における係合孔４２の周端部に離脱不能の状態で係合される。
【００２４】
前記のガードアーム４と第２枠箱１との間には、ガードアーム４の常態の角度位置（ガードアーム４のほぼ垂直な位置）における任意のストッパ手段５を要する。
【００２５】
実施例のストッパ手段５としては、１つには第２枠箱１の本体側壁部がその作用をなし、他の１つには第２枠箱１内に設けられたコ字状をなす合成樹脂製のブロックがその作用をなす。
【００２６】
ストッパ手段５は勿論少くも１つ設ければ足りる。後者のブロック５は、ガードアーム４の揺動に対するストッパ手段として働く他、ガードアーム４の常態の角度位置付近で該ガードアーム４の厚さ方向のぶれを抑止する。
【００２７】
更に、上記の第２枠箱１内には、スライダ３を常態位置に向け直線的に付勢させる例えば圧縮ばね等の第１戻しばね６を設ける。
【００２８】
図３で符号６１は第２枠箱１に鋲６２等により固定された例えばく字状をなすばねカバーで、第１戻しばね６はその中に装着されている。
【００２９】
第１戻しばね６の一端（図３で上端）はスライダ３に一体に突設したばね受け３１に当接されてあり、第１戻しばね６の他端（図３で下端）はばねカバー６１内に位置する固定の支柱９２に当てがわれている。
【００３０】
なお、スライダ３の一部は、ばねカバー６１の下部に設けた切欠き６３（図５参照）を通じてそのカバー６１内に入り込んでいる。勿論、その切欠き６３はスライダ３の摺動の妨げにならないように形成されている。
【００３１】
また、スライダ３に対しガードアーム４を常態の角度位置（ほぼ垂直な位置）に向け揺動的に付勢させるため、ねじりばねで成る第２戻しばね７をガードアーム４の枢軸４１の回りに管状スペーサ８を介して嵌め込むと共に、スライダ３とガードアーム４との間に掛け止める。
【００３２】
実施例においては、図３及び図４に示すように、第２戻しばね７の一端はスライダ３に突設した止めピン３２に、第２戻しばね７の他端はガードアーム４に穿設された止め孔４３にそれぞれ掛け止めてある。
【００３３】
尚、図示の実施例においては、ガードアームを上位位置に、係止杆を下部位置にそれぞれ設けた例を示したが、逆にして、ガードアームを下位位置に、係止杆を上位位置に設けるように設計してもよいことは勿論である。
【００３４】
【発明の効果】
以上に説明したこの発明のガードアーム装置においては、従来装置において見られるところの取付板に形成した移動ピン用の摺動孔を廃することにより、ガードアーム作動時の扉の開閉、すなわちガードアームの変位作動を円滑にすると共に、枢軸（移動ピン）の摩擦による偏摩耗を排して耐久性の向上を計ることを可能にするなどの効果を奏する。
【図面の簡単な説明】
【図１】この発明のガードアーム装置に係る実施例を示す正面図。
【図２】一部を断面にして示すその側面図。
【図３】蓋板を一部取り除いて示す要部である第２枠箱部分の正面図。
【図４】その縦断側面図。
【図５】その横断底面図。
【符号の説明】
１０  扉
２０  第１枠箱
３０  係止杆
４０  くびれ部
５０  扉枠
１  第２枠箱
１１  蓋板
１２  トロヨケ
１３  開口
１４  抜け窓
１５  係止孔
２  案内手段
３  スライダ
３１  ばね受け
３２  止めピン
４  ガードアーム
４１  枢軸
４２  係合孔
４３  止め孔
５  ストッパ手段
６  第１戻しばね
６１  ばねカバー
６２  鋲
６３  切欠き
７  第２戻しばね
８  スペーサ
９１  止めねじ
９２  支柱
９３  取付ねじ
Ａ  矢印
Ｂ  矢印
【図１】
0003940443.tif 000002
【図２】
0003940443.tif 000003
【図３】
0003940443.tif 000004
【図４】
0003940443.tif 000005
【図５】
0003940443.tif 000006